(57)【要約】【課題】本考案により、碍子表面の汚れを清掃することが可能になり、碍子の表面は、いつもきれいで、汚れによる閃絡事故を防ぐことができるようになる。【解決手段】本考案は 電力系統で 碍子表面の汚れを清掃する「風力清掃輪」と言う仕掛けである。これは絶縁輪やはけ輪やスクレーパーなどからなっており、風力を利用して、清掃輪を碍子の上で、旋転させる仕掛けである。【選択図】図７
0003105946.tif 000002
【実用新案登録請求の範囲】
【請求項１】
絶縁輪（３）に 風力推進碗(１)が固定され、絶縁材料で作られることを特徴とする碍子風力清掃輪。
【請求項２】
さらに、前記風力推進碗（１）が、汚れスクレーパー（５）であるその縁（エッジ）を備える請求項１に記載の碍子風力清掃輪。
【請求項３】
さらに、前記絶縁輪（３）に隔離球（６）が取り付けられていることを特徴とする請求項１または２に記載の碍子風力清掃輪。
【請求項４】
さらに、前記絶縁輪（３）に凸型輪（７）が設置されてなることを特徴とする請求項１または２に記載の碍子風力清掃輪。
【請求項５】
さらに、前記絶縁輪（３）に、はけ輪（８）および・またはスクレーパー（９）を備えることを特徴とする請求項１または２に記載の碍子風力清掃輪。
【請求項６】
さらに、前記絶縁輪（３）に、はけ輪（８）および・またはスクレーパー（９）を備えることを特徴とする請求項３に記載の碍子風力清掃輪。
【請求項７】
さらに、前記絶縁輪（３）に、はけ輪（８）および・またはスクレーパー（９）を備えることを特徴とする請求項４に記載の碍子風力清掃輪。
【考案の詳細な説明】
【技術分野】
【０００１】
本考案は、電力系統で碍子表面の汚れを清掃する仕掛けに関する。
【背景技術】
【０００２】
現在、電力系統で使われている碍子の表面には汚れがつく現象がひどいので一定の時間ごとに清掃する必要がある。普通行われている清掃方法は人力や機械で、あるいは水で、洗い落とす方法である。人力や機械で清掃すると時間も力もかかる。水では、コストがかかる。また、ところによっては地理的な条件のせいで、機械や水が使えないこともある。要するに、以上の方法はどちらを使っても、碍子の表面についている汚れを直ちに清掃しなければ汚れによる閃絡事故が頻発することになる。
【考案の開示】
【考案が解決しようとする課題】
【０００３】
本考案の目的は、上述の事情にかんがみ、現在の技術の足りない点を克服して、風力を借りて碍子表面の汚れを自動的に清掃する「碍子風力清掃輪」と呼ばれる仕掛けを提供することである。
【課題を解決するための手段】
【０００４】
この目的を達するため 本考案者等は、次のような技術を採用した。いくつかの、同一の方向で並んでいる「風力推進碗」(碗の形のようなもので 風を受けると回るものである。)を絶縁輪にとおして風力清掃輪とし、それを碍子に付けて風を受けると、風力清掃輪が回る。そうすると 風力推進碗によって、碍子表面のよごれがつぎつぎとこすり落とされ、碍子表面は清潔に保たれて、汚れによる閃絡事故を防ぐことができる。
【考案の効果】
【０００５】
本考案は従来の技術と比べて次の長所がある。
１．  碍子表面の汚れが 随時 清掃できるから 、その表面に汚れがつくことない。
２．大量の人力や物資が節約できる。
３．清掃に伴う不安な（安全でない）要素を取り除く。
【考案を実施するための最良の形態】
【０００６】
本考案を具体的に実行する方法を以下に説明する。
図１−図７は、例１を実行する構成の見取り図である。
図１、半球型(放物面の形にしてもいい)風力推進碗１の正視図と左断面図；図２ 円錐型(他の錘状にしてもいい)風力推進碗1の正視図と左断面図；図３、４、絶縁輪３を風力推進碗の穴２に通した時の局部の断面図、風力推進碗１と絶縁輪３を接着して、一緒に固定してある。図５、いくつかの、同一方向に並べてある風力推進碗１を絶縁輪３に通してある風力清掃輪の構成の見取り図である。図６、碍子４の構成の見取り図である。図７、風力清掃輪を碍子につける構成の見取り図である。風を受けると、風力清掃輪がまわる。そうすると、風力推進碗によって、碍子表面の汚れが擦り落とされる。それによって、碍子の表面は、清潔さを保たれて、汚れによる閃絡事故をふせぐことができる。
【０００７】
風力清掃輪は、絶縁材料、例えば、プラスチックやゴムやナイロンなどによって作られる。風力清掃輪は、電力系統のどんな設備の磁器碍子のふちにつけてもかまわない。
【０００８】
図８、９は、例２を実行する構成の見取り図である。例２と例１の区別は、風力推進碗の碗の縁に、汚れを取るスクレーパーがついているから、清掃が容易になることである。
図１０、１１、１２は、例３を実行する構成の見取り図である。図面に描いてあるように、絶縁輪３の風力推進碗1の間に若干の、穴があいた隔離球６がある。それによって、風力推進碗１の間の距離を固定することができる。隔離球６の形は球状でも、管状でもいい。
【０００９】
図１２、管状の隔離球６を絶縁輪３にとおしてある風力清掃輪の局部の断面図である。
図１３は、例４を実行する構成の見取り図である。図面に描いてあるように、絶縁輪３に凸型輪７がついている。それによって風力推進碗１を固定することができる。
図１４、１５は、例５を実行する構成の見取り図である。清掃のスピードと効果を高めるため、絶縁輪３にはけ輪８を通してある。図１５、はけ輪８の正視図と左からの図である。
図１６、１７は、例６を実行する構成の見取り図である。絶縁体の縁も清掃できるようにするため 絶縁輪3にスクレーパー９をとおしてある。
図１７、スクレーパー９の正視図と左からの図である。
【００１０】
図１８、１９は、例７を実行する構成の見取り図である。製造する時、風力推進碗１と絶縁輪３は、固定されていっしょになり、一体の仕掛けになる。
図２０、２１は、例８を実行する構成の見取り図である。図面に描かれているようにすべでの風力清掃輪はジョイントを備える。ジョイントを構成するインタフェース１０は、溶接でつなぐ；図２１に描いてあるように、インタフェース１０に一つのコネクティングフリーブでつなぐ、もしくは溶接する。
図２２は、例９を実行する構成の図である。上述の風力清掃輪との違いは風力推進碗１を、絶縁輪３に通してあるのではなく、絶縁輪３の側に固定されていることである。
【００１１】
工業上での応用：
本考案は、電力系統で幅広く用いる事ができ、碍子表面の汚れを清掃することによって、電力系統をさらに安全に運行することができる。本考案は、現在の技術と比べて、次の長所がある。(1) 碍子表面の汚れが、随時清掃できるから、その表面によごれがつくことがないこと。(2)大量の人力や物資が節約できる。(3)清掃に伴う不安な要素が取り除けること。
【図面の簡単な説明】
【００１２】
【図１】半球型の風力推進碗の正視図（正面図）１Ａと左断面図１Ｂである。
【図２】円錐体型の風力推進碗の正視図（正面図）２Ａと左断面図２Ｂである。
【図３】絶縁輪に通した風力推進碗の局部の正視図（正面図）３Ａと左断面図３Ｂである。
【図４】絶縁輪に通した風力推進碗の局部の正視図（正面図）４Ａと左断面図４Ｂである。
【図５】風力清掃輪の構成の見取り図である。
【図６】碍子の見取り図である。
【図７】風力清掃輪をつけている碍子の見取り図である。
【図８】汚れをこすり落とす風力推進碗の構成の見取り図８Ａ、８Ｂである。
【図９】汚れをこすり落とす風力推進碗の構成の見取り図９Ａ、９Ｂである。
【図１０】球状の隔離球(隔離の作用をはっきする球状のもの。)を絶縁輪に通してある風力清掃輪の構成の見取り図である。
【図１１】球状の隔離球(隔離の作用をはっきする球状のもの。)を絶縁輪に通してある風力清掃輪の構成の見取り図である。
【図１２】管状の隔離球を絶縁輪に通してある風力清掃輪の局部の断面図である。
【図１３】凸型輪が付いている絶縁輪の風力清掃輪の局部の断面図である。
【図１４】はけ輪を絶縁輪に通してある風力清掃輪の局部の断面図である。
【図１５】はけ輪の正断面図１５Ａと左から見た図１５Ｂである。
【図１６】スクレーパーを絶縁輪に通してある風力清掃輪の局部の断面図である。
【図１７】スクレーパーの正視図（正面図）１７Ａと左から見た図１７Ｂである。
【図１８】一体となった風力清掃輪の局部の断面図１８Ａ、１８Ｂである。
【図１９】一体となった風力清掃輪の局部の断面図１９Ａ、１９Ｂである。
【図２０】風力清掃輪のジョイントの局部の断面図である。
【図２１】風力清掃輪のジョイントの局部の断面図である。
【図２２】例９を実施する構成の見取り図である。
【符号の説明】
【００１３】
１  風力推進碗
２  風力推進碗の穴
３  絶縁輪
４  碍子
５  汚れスクレーパー
６  隔離球
７  凸型輪
８  はけ輪
９  スクレーパー
１０  インタフェース
１１  コネクティングスリーブ
【図１】
0003105946.tif 000003
【図２】
0003105946.tif 000004
【図３】
0003105946.tif 000005
【図４】
0003105946.tif 000006
【図５】
0003105946.tif 000007
【図６】
0003105946.tif 000008
【図７】
0003105946.tif 000009
【図８】
0003105946.tif 000010
【図９】
0003105946.tif 000011
【図１０】
0003105946.tif 000012
【図１１】
0003105946.tif 000013
【図１２】
0003105946.tif 000014
【図１３】
0003105946.tif 000015
【図１４】
0003105946.tif 000016
【図１５】
0003105946.tif 000017
【図１６】
0003105946.tif 000018
【図１７】
0003105946.tif 000019
【図１８】
0003105946.tif 000020
【図１９】
0003105946.tif 000021
【図２０】
0003105946.tif 000022
【図２１】
0003105946.tif 000023
【図２２】
0003105946.tif 000024